(57)【要約】【課題】撮影時に光学部材が熱的損傷を受けるのを防止する。【解決手段】撮影装置との間で通信可能な照明装置であって、被写体を照明する照明光を発光する発光素子７と、前記発光素子の前方に配置された光学部材９と、前記光学部材またはその近傍の温度を測定する温度センサ１３と、前記温度センサにより検出された温度に基づいて、前記撮影装置の撮影感度に関する感度情報を送信する送信部１４とを備える。【選択図】図１
2013205528.tif 000002
【特許請求の範囲】
【請求項１】
撮影装置との間で通信可能な照明装置であって、
被写体を照明する照明光を発光する発光素子と、
前記発光素子の前方に配置された光学部材と、
前記光学部材またはその近傍の温度を測定する温度センサと、
前記温度センサにより検出された温度に基づいて、前記撮影装置の撮影感度に関する感度情報を送信する送信部と
を備えることを特徴とする照明装置。
【請求項２】
前記送信部は、前記温度センサにより所定温度以上の温度を検出した場合に前記カメラに対して撮影感度を上昇させる指示を送信することを特徴とする請求項１記載の照明装置。
【請求項３】
前記送信部は、前記温度センサにより検出された温度に基づいて前記カメラに対して前記撮影感度を段階的に上昇させる指示を送信することを特徴とする請求項１または２記載の照明装置。
【請求項４】
前記送信部は、前記温度センサにより前記所定温度よりも低い温度を検出した場合に、前記撮影感度を上昇させる前の撮影感度に戻す指示を送信することを特徴とする請求項１〜３の何れか一項に記載の照明装置。
【請求項５】
前記送信部による指示内容を表示する表示部を備えることを特徴とする請求項１〜４の何れか一項に記載の照明装置。
【請求項６】
前記発光素子は、キセノン管であることを特徴とする請求項１〜５の何れか一項に記載の照明装置。
【請求項７】
被写体を照明する照明光を発光する照明装置を用いて撮影可能なカメラであって、
前記照明装置から感度情報を受信する受信部と、
前記受信部を介して受信した前記感度情報に基づいて感度情報を変更する変更部と、
前記変更部により変更した変更感度情報に基づいて前記照明装置の発光量を決定する決定部と、
前記決定部により決定した前記発光量で発光する発光指示を前記照明装置に対して送信する送信部と
を備えることを特徴とするカメラ。
【請求項８】
前記受信部は、前記変更感度情報を変更前の感度情報に戻す指示を受信し、
前記決定部は、前記変更前の感度情報に基づいて前記照明装置の発光量を決定することを特徴とする請求項７記載のカメラ。
【発明の詳細な説明】
【技術分野】
【０００１】
本発明は、被写体を照明するための照明光を発光する照明装置、及び照明装置により被写体を照明して撮影を行うカメラに関するものである。
【背景技術】
【０００２】
従来、発光素子の温度が上昇した場合、発光素子の位置を後方にズーム移動させて発光素子の前方に配置されている光学部材の熱的損傷を防止する照明装置が知られている（例えば、特許文献１参照）。この照明装置においては、発光素子の位置を定位置に設定した状態で撮影を行うことが想定されているため、撮影を行う度に発光素子を定位置にズーム移動させる必要がある。
【先行技術文献】
【特許文献】
【０００３】
【特許文献１】特開２００９−７５４０１号公報
【発明の概要】
【発明が解決しようとする課題】
【０００４】
しかしながら、上述の照明装置を用いて連続撮影を行う場合には、発光素子のズーム移動が間に合わないことから、発光素子を定位置に位置させたまま発光させるため、発光素子の前方に配置されている光学部材が高温になり熱的損傷を受ける場合がある。
【０００５】
本発明の目的は、撮影時に光学部材が熱的損傷を受けるのを防止する照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の照明装置（２）は、撮影装置との間で通信可能な照明装置であって、被写体を照明する照明光を発光する発光素子（７）と、前記発光素子の前方に配置された光学部材（９）と、前記光学部材またはその近傍の温度を測定する温度センサ（１３）と、前記温度センサにより検出された温度に基づいて、前記撮影装置の撮影感度に関する感度情報を送信する送信部（１４）とを備えることを特徴とする。
【０００８】
また、本発明のカメラ（３）は、被写体を照明する照明光を発光する照明装置を用いて撮影可能なカメラであって、前記照明装置から感度情報を受信する受信部（３４）と、前記受信部を介して受信した前記感度情報に基づいて感度情報を変更する変更部（３４）と、前記変更部により変更した変更感度情報に基づいて前記照明装置の発光量を決定する決定部（３４）と、前記決定部により決定した前記発光量で発光する発光指示を前記照明装置に対して送信する送信部（３４）とを備えることを特徴とする。
【発明の効果】
【０００９】
本発明によれば、撮影時に光学部材が熱的損傷を受けるのを防止することができる。
【図面の簡単な説明】
【００１０】
【図１】実施の形態に係る照明装置の内部構成を側面から視た図である。
【図２】実施の形態に係る照明装置の発光部の内部機構を示す図である。
【図３】実施の形態に係る照明装置及びカメラのシステム構成を示す回路ブロック図である。
【図４】実施の形態に係る照明装置の処理を示すフローチャートである。
【発明を実施するための形態】
【００１１】
以下、図面を参照して実施の形態に係る照明装置について説明する。図１は、実施の形態に係る照明装置２の内部構成を側面から視た図である。照明装置２は、発光部４と本体部６とを備えており、発光部４は水平位置から上方向にバウンスできるように本体部６に回動可能に取付けられている。
【００１２】
発光部４の内部には、発光素子であるキセノン管７、キセノン管７から発光された直接光を反射させる反射ミラー８が設けられており、キセノン管７の前方には、キセノン管７から発光された直接光及び反射ミラー８により反射された反射光を集光させるフレネルパネル９が設けられている。被写体は、フレネルパネル９において集光された照明光によって照明される。
【００１３】
また、発光部４の内部には、キセノン管７及び反射ミラー８からなる発光部１０の位置を図２に示すテレ側またはワイド側にズーム移動させるためのズームガイド軸１１、発光部１０をズームガイド軸１１に沿ってズーム移動させることによりフレネルパネル９を介して射出される照明光の照射角を調整する駆動モータ１２、及びフレネルパネル９の近傍の温度を測定する温度センサ１３が設けられている。なお、温度センサ１３は、フレネルパネル９自体の温度を測定してもよい。
【００１４】
ここで、図２に二点鎖線で示すように、駆動モータ１２により発光部１０をテレ側にズーム移動させてフレネルパネル９から遠ざけると、フレネルパネル９の温度が低下し、温度センサ１３により測定されるフレネルパネル９の近傍の温度は低くなる。一方、駆動モータ１２により発光部１０をワイド側にズーム移動させてフレネルパネル９に近づけると、フレネルパネル９の温度が上昇し、温度センサ１３により測定されるフレネルパネル９の近傍の温度は高くなる。
【００１５】
また、本体部６の内部には、照明装置２の各部を統括的に制御する制御回路１４、キセノン管７を発光させるための電気エネルギを蓄積するメインコンデンサ１６、キセノン管７の発光量を調整する発光回路１８、電源の電圧を昇圧する昇圧回路２０、発光部４がバウンスした角度を検知するバウンス角度検出スイッチ２２が備えられている。また、本体部６の下面には、照明装置２をカメラに取付ける取付部２４が備えられており、取付部２４には、照明装置２をカメラに取付けた状態でカメラとの間で通信を行う通信端子２５が設けられている。
【００１６】
図３は、実施の形態に係る照明装置２のシステム構成を示す回路ブロック図である。照明装置２には、制御回路１４が備えられ、制御回路１４には、昇圧回路２０、発光回路１８、及び通信端子２５が接続されている。
【００１７】
制御回路１４は、昇圧回路２０の動作を制御するための昇圧信号を出力する。昇圧回路２０は、昇圧信号が入力されると電源３０の電圧を昇圧させ、メインコンデンサ１６への充電を行う。また、制御回路１４は、キセノン管７を発光させる発光信号を発光回路１８に対して出力する。発光回路１８は、入力された発光信号に基づいてキセノン管７の発光量を調整する。また、制御回路１４は、通信端子２５を介してカメラとの間で撮影感度（ＩＳＯ値等）に関する情報の送受信を行う。
【００１８】
また、制御回路１４には、バウンス角度検出スイッチ２２、駆動モータ１２、及び温度センサ１３が接続されている。制御回路１４は、バウンス角度検出スイッチ２２を介して発光部４のバウンス角度を検知する。また、制御回路１４は、駆動モータ１２を駆動させ発光部１０をテレ側またはワイド側（図２参照）にズーム移動させて照明光の照射角を調整する。また、制御回路１４は、温度センサ１３によりフレネルパネル９の近傍の温度を測定する。
【００１９】
また、カメラ３には、カメラ３の各部を統括的に制御する制御回路３４が備えられ、制御回路３４には、撮像素子３６及び通信端子３８が接続されている。制御回路３４は、撮像素子３６により撮影レンズ（図示せず）を介した被写体からの光を撮像する。また、通信端子３８を介してカメラ３に取付けられた照明装置２との間の通信を行う。
【００２０】
図４は、実施の形態に係る照明装置２の処理を示すフローチャートである。まず、照明装置２が取付部２４を介してカメラ３に取付けられ、照明装置２の電源がオンにされると、制御回路１４は、通信端子２５を介してカメラ３との通信を行い、カメラ３において設定されているＩＳＯ値（以下、設定ＩＳＯ値という。）に関する情報を取得して図示しない記憶部に記憶する（ステップＳ１）。以降、制御回路１４は、一定時間間隔でカメラ３との通信を行い、定期的に現在のカメラ３のＩＳＯ値（以下、現在のＩＳＯ値という。）に関する情報を取得する。
【００２１】
次に、制御回路１４は、温度センサ１３によりフレネルパネル９の近傍の温度を測定する（ステップＳ２）。なお、ここでは、発光部１０がフレネルパネル９の近傍に位置するものとして以下の説明を行う。次に、制御回路１４は、温度センサ１３により測定された温度がＴ１℃以上の温度であるか否かを判定する（ステップＳ３）。ここで、閾値となる温度であるＴ１℃の値については操作者が任意に設定することができる。
【００２２】
温度センサ１３により測定された温度がＴ１℃以上の温度である場合（ステップＳ３：Ｙｅｓ）、制御回路１４は、さらに温度センサ１３により検出した温度がＴ２℃以上の温度であるか否かを判定する（ステップＳ４）。ここで、Ｔ２℃の温度はＴ１℃よりも高い温度であり（Ｔ２℃＞Ｔ１℃）、Ｔ２℃の値については操作者が任意に設定することができる。
【００２３】
温度センサ１３により測定された温度がＴ２℃以上の温度でない場合（ステップＳ４：Ｎｏ）、即ち、温度センサ１３により測定された温度がＴ１℃以上Ｔ２℃未満である場合、制御回路１４は、カメラ３の現在のＩＳＯ値が設定ＩＳＯ値のＫ１倍の値であるか否かを判定する（ステップＳ５）。例えば、設定ＩＳＯ値がＩＳＯ４００であり、Ｋ１の倍率が２倍である場合、制御回路１４は、現在のＩＳＯ値がＩＳＯ４００の２倍のＩＳＯ８００であるか否かを判定する。なお、Ｋ１の倍率については操作者が任意に設定することができる。
【００２４】
現在のＩＳＯ値が設定ＩＳＯ値のＫ１倍の値である場合（ステップＳ５：Ｙｅｓ）、制御回路１４は、照明装置２の電源がオフにされたか否かを判定する（ステップＳ６）。照明装置２の電源がオフにされたた場合（ステップＳ６：Ｙｅｓ）、制御回路１４は、一連の処理を終了させる。照明装置２の電源がオフにされていない場合（ステップＳ６：Ｎｏ）、ステップＳ２の処理に戻る。
【００２５】
一方、現在のＩＳＯ値が設定ＩＳＯ値のＫ１倍の値でない場合（ステップＳ５：Ｎｏ）、制御回路１４は、通信端子２５を介してカメラ３に現在のＩＳＯ値を設定ＩＳＯ値のＫ１倍の値に変更する旨の指示を送信する（ステップＳ７）。
【００２６】
カメラ３の制御回路３４は、通信端子３８を介して指示を受信すると、受信した指示に基づいて現在のＩＳＯ値を設定ＩＳＯ値のＫ１倍の値に変更する。そして、変更後のＩＳＯ値を用いて数式１により照明装置２の発光量（ガイドナンバー（ＧＮ））を算出する。
【００２７】
発光量（ＧＮ）＝撮影距離（ｍ）×絞り値（Ｆ値）×√（１００／ＩＳＯ値）…数式１
なお、数式１によれば、ＩＳＯ値をＫ１倍に上昇させた場合、発光量の値が１／√Ｋ１倍に減少する。
【００２８】
ここで、操作者によりレリーズ操作が行われた場合、カメラ３の制御回路３４は、通信端子３８及び通信端子２５を介して照明装置２に対して数式１により算出された発光量で発光する旨の指示を送信する。制御回路１４は、指示を受信すると、数式１により算出された発光量でキセノン管７を発光させ、フレネルパネル９を介して照明光を射出して被写体を照明する。また、カメラ３の制御回路３４は、この照明光により被写体が照明された状態において、変更後のＩＳＯ値で撮像素子３６により被写体の撮影を行う。
【００２９】
ステップＳ４において、温度センサ１３により測定された温度がＴ２℃以上の温度である場合（ステップＳ４：Ｙｅｓ）、制御回路１４は、カメラ３の現在のＩＳＯ値が設定ＩＳＯ値のＫ２倍の値であるか否かを判定する（ステップＳ８）。例えば、設定ＩＳＯ値がＩＳＯ４００であり、Ｋ２の倍率が４倍である場合、制御回路１４は、現在のＩＳＯ値がＩＳＯ４００の４倍のＩＳＯ１６００であるか否かを判定する。なお、Ｋ２の倍率はＫ１よりも大きな倍率であり（Ｋ２＞Ｋ１）、Ｋ２の倍率については操作者が任意に設定することができる。
【００３０】
現在のＩＳＯ値が設定ＩＳＯ値のＫ２倍の値である場合（ステップＳ８：Ｙｅｓ）、ステップＳ６の処理に進む。一方、現在のＩＳＯ値が設定ＩＳＯ値のＫ２倍の値でない場合（ステップＳ８：Ｎｏ）、制御回路１４は、通信端子２５を介してカメラ３に対して現在のＩＳＯ値を設定ＩＳＯ値のＫ２倍の値に変更する旨の指示を送信する（ステップＳ９）。
【００３１】
カメラ３の制御回路３４は、通信端子３８を介して指示を受信すると、受信した指示に基づいて現在のＩＳＯ値を設定ＩＳＯ値のＫ２倍の値に変更し、変更後のＩＳＯ値を用いて数式１により照明装置２の発光量を算出する。なお、現在のＩＳＯ値を設定ＩＳＯ値のＫ２倍の値に変更した場合の発光量は、現在のＩＳＯ値を設定ＩＳＯ値のＫ１倍の値に変更した場合の発光量よりもさらに減少する。具体的には、現在のＩＳＯ値を設定ＩＳＯ値（ＩＳＯ４００）の４倍の値であるＩＳＯ１６００に変更した場合、発光量は、ＩＳＯ８００（設定ＩＳＯ値の２倍）にしたときの１／√２倍の値、設定ＩＳＯ値（ＩＳＯ４００）にしたときの１／２倍の値となる。
【００３２】
ステップＳ３において、温度センサ１３により測定された温度がＴ１℃以上の温度でない場合（ステップＳ３：Ｎｏ）、制御回路１４は、現在のＩＳＯ値が設定ＩＳＯ値であるか否かを判定する（ステップＳ１０）。現在のＩＳＯ値が設定ＩＳＯ値である場合（ステップＳ１０：Ｙｅｓ）、ステップＳ６の処理に進む。一方、現在のＩＳＯ値が設定ＩＳＯ値でない場合（ステップＳ１０：Ｎｏ）、制御回路１４は、通信端子２５を介してカメラ３に対して現在のＩＳＯ値を設定ＩＳＯ値に戻す旨の指示を送信する（ステップＳ１１）。
【００３３】
カメラ３の制御回路３４は、通信端子３８を介して指示を受信すると、受信した指示に基づいて現在のＩＳＯ値を設定ＩＳＯ値に戻し、設定ＩＳＯ値を用いて数式１により照明装置２の発光量を算出する。
【００３４】
この実施の形態に係る照明装置２及びカメラ３によれば、温度センサ１３により測定された温度がＴ１℃以上の温度である場合、照明装置２の発光量を減少させて発光部１０に発生する熱を抑制するため、連続して撮影を行う時に光学部材が熱的損傷を受けるのを防止することができる。また、発光量を減少させた場合、発光量の減少に応じてカメラのＩＳＯ値を上昇させるため、適正な露出で撮影を行うことができる。
【００３５】
なお、上述の実施の形態においては、閾値となる温度としてＴ１℃及びＴ２℃が設定されているが、さらにＴ２℃よりも高い温度の閾値を設けてもよい。例えば、温度センサ１３により測定された温度がＴ３℃（Ｔ３℃＞Ｔ２℃）以上の温度である場合、現在のＩＳＯ値が設定ＩＳＯ値のＫ３倍（Ｋ３＞Ｋ２）の値であるか否かを判定するようにしてもよい。また、さらにＴ３℃よりも高い温度の閾値を複数設定してもよい。これにより、フレネルパネル９の近傍の温度の上昇に伴って段階的にカメラ３のＩＳＯ値を上昇させることができる。
【００３６】
また、上述の実施の形態においては、カメラに装着して使用する外付け型の照明装置を例に説明しているが、照明装置は、カメラに内蔵するタイプのものであってもよい。カメラに内蔵するタイプの照明装置では、発光部をズーム移動させることができないため、発光量を減少させて発光部に発生する熱を抑制することにより、効果的に光学部材が熱的損傷を受けるのを防止することができる。また、照明装置は、カメラから離れた状態で使用可能なリモート照明装置であってもよい。
【００３７】
また、上述の実施の形態においては、設定ＩＳＯ値の倍数となるＫ１の倍率が２倍であり、Ｋ２の倍率が４倍である場合を例に説明しているが、倍率の値は整数値に限定されない。例えば、Ｋ１の倍率を１．４倍、Ｋ２の倍率を２．８倍のように設定してもよい。また、温度センサ１３により測定された温度が所定の温度を超えた場合、設定ＩＳＯ値に倍率を乗算せず、カメラ３に対して直接現在のＩＳＯ値を所定のＩＳＯ値に変更する旨の指示を行ってもよい。
【００３８】
また、上述の実施の形態において、照明装置２の本体部６の背面にＬＣＤ表示部を備え、カメラ３に対して現在のＩＳＯ値を変更する旨の指示がなされた場合、指示内容を表示するようにしてもよい。例えば、現在のＩＳＯ値を設定ＩＳＯ値（ＩＳＯ４００）の２倍のＩＳＯ８００に変更する指示がなされた場合、ＬＣＤ表示部において、「ＩＳＯ  ４００  →  ８００」のように表示するようにしてもよい。
【００３９】
また、上述の実施の形態において、発光部４に備えられる発光素子はキセノン管に限定されず、例えば発光素子としてＬＥＤ光源を備えるようにしてもよい。
【符号の説明】
【００４０】
２…照明装置、３…カメラ、４…発光部、６…本体部、７…キセノン管、８…反射ミラー、９…フレネルパネル、１０…発光部、１２…駆動モータ、１３…温度センサ、１４…制御回路、１８…発光回路、２４…取付部、２５…通信端子、３４…制御回路、３６…撮像素子、３８…通信端子
【図１】
2013205528.tif 000003
【図２】
2013205528.tif 000004
【図３】
2013205528.tif 000005
【図４】
2013205528.tif 000006